(57)【特許請求の範囲】
【請求項１】
２本の操作ハンドルを持ち、一方の操作ハンドルで開の操作をし、他方の操作ハンドルで閉の操作を行う開閉器において、
先端及び中央部に切り欠きを備えた異形形状を持つ丸棒からなり、摺動及び回動するインタロックピンと、
このインタロックピンの摺動により蓄勢放勢を繰り返す戻しバネと、
パイプ状の本体と、前記本体と一体となり前記操作ハンドルの操作を不能状態にするレバ部分とを有し、前記インタロックピンの回動に追従して第２の回動を行い、前記操作ハンドルを操作不能状態にするインタロックレバと、
前記インタロックピン、前記戻しバネ及び前記インタロックレバを保持するインタロックベースとから構成されたことを特徴とする開閉器操作ハンドルのインタロック装置。
【請求項２】
１本の操作ハンドルを持ち、この操作ハンドルで開の操作と閉の操作を行う開閉器において、
先端及び中央部に切り欠きを備えた異形形状を持つ丸棒からなり、摺動及び回動を行い前記操作ハンドルを操作不能状態にするインタロックピンと、
このインタロックピンの摺動により蓄勢放勢を繰り返す戻しバネと、
上下に２つの穴を設け、この２つの穴で前記インタロックピンを保持するとともに、前記戻しバネを保持し、かつ上側の穴は前記インタロックピンの先端の異形形状部と係合する部分を有し、この部分に前記インタロックピンの先端の異形形状部が入り込むことにより、前記インタロックピンを回動不能状態にし、前記操作ハンドルの操作を不能状態にするインタロックベースとから構成されたことを特徴とする開閉器操作ハンドルのインタロック装置。
【発明の詳細な説明】
【０００１】
【発明の属する技術分野】
本発明は、開閉器操作ハンドルの誤操作防止用のインタロック装置に関する。
【０００２】
【従来の技術】
従来、２本の操作ハンドルを持ち、片方の操作ハンドルで開の操作をし、もう片方の操作ハンドルで閉の操作を行う開閉器は、操作ハンドルが外部に剥き出しになっており、引き綱やホックステックを使うことによって、外部から手動にて容易に開閉操作が出来るようになっている。
【０００３】
【発明が解決しようとする課題】
ところが、以上説明したような従来例の構造では、ハンドルを単に引くだけで開閉器の開閉操作が可能なので、第三者が不当な目的（悪戯等）でハンドルを引いたり、鳥獣がハンドルにぶら下がったりした場合でも、ハンドルが誤操作され、開閉器や配電線路に事故等が発生する恐れがあった。
そこで、本発明は誤操作防止のため通常状態においては、ハンドル操作が不能状態にあり、開閉する意思が明確な場合にのみハンドル操作が可能な状態に出来るインタロック装置を装備した開閉器を提供することを目的とする。
【０００４】
【課題を解決するための手段】
以上の目的を達成するため、本発明の請求項１の発明は、２本の操作ハンドルを持ち、一方の操作ハンドルで開の操作をし、他方の操作ハンドルで閉の操作を行う開閉器において、先端及び中央部に切り欠きを備えた異形形状を持つ丸棒からなり、摺動及び回動するインタロックピンと、このインタロックピンの摺動により蓄勢放勢を繰り返す戻しバネと、パイプ状の本体と、前記本体と一体となり前記操作ハンドルの操作を不能状態にするレバ部分とを有し、前記インタロックピンの回動に追従して第２の回動を行い、前記操作ハンドルを操作不能状態にするインタロックレバと、前記インタロックピン、前記戻しバネ及び前記インタロックレバを保持するインタロックベースとから構成されたことを特徴とする開閉器操作ハンドルのインタロック装置である。
【０００５】
本発明の請求項２の発明は、１本の操作ハンドルを持ち、この操作ハンドルで開の操作と閉の操作を行う開閉器において、先端及び中央部に切り欠きを備えた異形形状を持つ丸棒からなり、摺動及び回動を行い前記操作ハンドルを操作不能状態にするインタロックピンと、このインタロックピンの摺動により蓄勢放勢を繰り返す戻しバネと、上下に２つの穴を設け、この２つの穴で前記インタロックピンの保持するとともに、前記戻しバネを保持し、かつ上側の穴は前記インタロックピンの先端の異形形状部と係合する部分を有し、この部分に前記インタロックピンの先端の異形形状部が入り込むことにより、前記インタロックピンを回動不能状態にし、前記操作ハンドルの操作を不能状態にするインタロックベースとから構成されたことを特徴とする開閉器操作ハンドルのインタロック装置である。
【０００６】
以上の本発明の請求項１および請求項２によれば、これら発明が備えるインタロックピンは先端及び中央部に切り欠き等の異形形状を持つ丸棒であり、戻しバネは常時インタロックピンを片側に押し付けるように力を加えているバネであり、インタロックレバはパイプ状の本体にハンドル操作を不能にするレバが一体となった構造であり、このパイプ状の本体にはインタロックピン及び戻しバネが入り込む、また、パイプの断面はインタロックピン中央の異形形状部と係合する形状になっており、インタロックレバはインタロックピンに追従して回動する。
【０００７】
インタロックベースは上下に設けた２つの穴でインタロックピンの両端を保持することにより、インタロックピンの摺動及び回動を可能にしており、片方の穴はインタロックピン先端の異形形状部と係合する部分を持ち、この部分にインタロックピンが入り込むとインタロックピンは回動不能になる。
従って、通常状態ではインタロックレバが立ち上がっており、ハンドル操作が不能状態にあり、このときインタロックピンは先端の異形形状部分がインタロックベースの異形形状穴に入り込んで回動不能状態にあり、かつ戻しバネによって押し付けられている。
【０００８】
開閉可能状態にするには、まずインタロックピンを引いて異形形状穴から外し、インタロックピンを回動可能状態にした後、回動させると、インタロックレバがこれに追従して倒れ、ハンドル操作可能状態にすることが出来る。
この操作はインタロックピンを引きながら、かつ回動させるという２段階操作なので、偶然や悪戯等によりハンドル操作不能状態が解除されることを防止するという特段の効果を奏することができる。
【０００９】
【発明の実施の形態】
以下本発明の実施の形態を図に示して説明する。全ての図面において、同一符号は同一若しくは相当部材とする。
［実施の形態１］
先ず、第１の実施の形態について説明する。
図１(a) はハンドルインタロック装置の通常状態（操作不能状態）を示す正断面図、図１(b) と図１(c) は側断面図と平面図である。
図２(a) はハンドルインタロック装置の解除状態（操作可能状態）を示す正断面図、図２(b) と図２(c) は側断面図と平面図である。
【００１０】
図において、１はインタロックピン、２は戻しバネ、３はインタロックレバ（本体）、３Ａはハンドルの動きを妨げるレバ部分、４はインタロックベース、４Ａはインタロックベースの異形穴部を示す。
図１(a) ，図１(b) ，図１(c) に示す通常状態から、インタロックピン１を引き下げると、インタロックピン１は異形穴部４Ａの係合から外れ回動可能になる。
この引き下げ状態を維持したまま、インタロックピン１を時計回りに回動すると、レバ部分３Ａが倒れ、図２(a) ，図２(b) ，図２(c) に示すような状態になり、操作ハンドルが操作可能になる。
【００１１】
通常状態に戻すには、インタロックピン１を反時計回りに回動させてやれば、レバ部分３Ａが立ち上がり、異形穴部４Ａとインタロックピン１の先端が係合可能になった時点で、戻しバネ２によって係合され、通常状態に戻る。
すなわち、インタロックピン１は先端及び中央部に切り欠き等の異形形状を持つ丸棒１Ｂであり、戻しバネ２は常時インタロックピン１を片側に押し付けるように力を加えているバネ２であり、インタロックレバ３はパイプ状の本体にハンドル１０Ａ，１０Ｂの操作を不能にするレバ３Ａが一体となった構造であり、このパイプ状の本体３にはインタロックピン１及び戻しバネ２が入り込む、また、パイプの断面はインタロックピン１中央の異形形状部と係合する形状になっており、インタロックレバ部分３Ａはインタロックピン１に追従して回動する。
【００１２】
インタロックベース４は上下に設けた２つの穴でインタロックピン１の両端を保持することにより、インタロックピン１の摺動及び回動を可能にしている。また、片方の穴はインタロックピン先端（上側）の異形形状部と係合する部分を持っており、この部分にインタロックピン１が入り込むとインタロックピン１は回動不能になる。
通常状態ではインタロックレバ部分３Ａが立ち上がっており、ハンドル操作（１０Ａ，１０Ｂ）が不能状態にある。
このとき、インタロックピン１は先端の異形形状部分がインタロックベース４の異形形状穴に入り込んで回動不能状態にあり、かつ戻しバネ２によって押し付けられている。
【００１３】
開閉状態にするには、まずインタロックピン１を（下側へ）引いて異形形状穴から外し、インタロックピン１を回動可能状態にした後、回動させると、インタロックレバ部分３Ａがこれに追従して倒れ、ハンドル操作（１０Ａ，１０Ｂ）可能状態にすることが出来る。
この操作はインタロックピン１を引きながら、かつ回動させるという２段階操作なので、偶然や悪戯等によるハンドル操作不能状態が解除されることを防止している。
【００１４】
［実施の形態２］
次に第２の実施の形態について説明する。
１本の操作ハンドルで「開・閉」操作を行う開閉器では、インタロックピン自体に操作ハンドルの鎖錠機能（操作不能状態の維持）を持たせることにより、インタロックレバを省略することができる。
図３(a) はハンドルインタロック装置の通常状態の正断面図、図３(b) はハンドルインタロック装置の通常状態の側断面図である。
【００１５】
図３(a) に示す状態から、インタロックピン１を引下げ異形穴部４Ａの係合から外した後、時計回りに回動させると、インタロックピン１は引き下げ状態を維持する。これで、操作ハンドルは操作可能になる。
インタロックピン１を反時計回りに回動させると、インタロックピン１が異形穴部４Ａと係合可能になった時点で、戻しバネ２によって係合され、通常状態に戻る。
このようにして本実施の形態においても、インタロックピン１を引きながら、かつ回動させるという２段階操作で、ハンドル操作不能状態が解除されるから偶然や悪戯等によることを防止しており、かつ第１の実施の形態より簡略化できるという顕著な効果がある。
【００１６】
【発明の効果】
以上述べたように本発明によれば、通常は開閉器の操作ハンドルを操作不能の状態にしておき、誤操作による事故等を防止出来ることが可能という特段の効果を奏する。
さらに、操作不能状態を解除する場合には引いて回動させる２段階操作が必要で、偶然による解除を防止することにより、高い安全性を確保出来る等という顕著な効果がある。
【図面の簡単な説明】
【図１】図１は本発明の第１の実施の形態における操作不能状態での構成を示し、
(a) はハンドルインタロック装置の通常状態を示す正断面図、
(b) は側断面図、
(c) は平面図
【図２】図２は本発明の第１の実施の形態における操作可能状態での構成を示し、
(a) はハンドルインタロック装置の解除状態を示す正断面図、
(b) は側断面図
(c) は平面図
【図３】図３は本発明の第２の実施の形態における操作不能状態での構成を示し、
(a) はハンドルインタロック装置の通常状態の正断面図、
(b) はハンドルインタロック装置の通常状態の側断面図
【符号の説明】
１  インタロックピン
１Ａ  リング
１Ｂ  連結丸棒
１Ｃ  シリンダ
２  戻しバネ
３  インタロックレバ（本体）
３Ａ  インタロックレバ部分
４  インタロックベース
４Ａ  インタロックベース異形穴部
４Ｂ  （インタロックレバ部分の回動）ストッパ
４Ｃ  （インタロックレバ部分の反時計方向への）回り止め
４Ｄ  （インタロックベースの図示していない）固定部へ装着用孔
１０Ａ，１０Ｂ  開閉器操作ハンドル
【図１】
0004281117.tif 000002
【図２】
0004281117.tif 000003
【図３】
0004281117.tif 000004